(57)【特許請求の範囲】
【請求項１】
回転駆動装置によって回転され、その回転中心から同芯状に複数の記録トラックを有して、ハードケース内に収納されて、挿抜を可能としたディスクへ情報の記録再生を行う２つのヘッドを具備して、前記ディスク上面へ記録再生を行う第一のヘッドを搭載して弾性部材を介して支持された第一のキャリッジと、前記ディスク下面へ記録再生を行う第二のヘッドを搭載して弾性部材を介して支持された第二のキャリッジを構成したディスク記録再生装置において、
前記ディスクの挿抜位置から記録再生位置への移動時に前記第一のキャリッジと前記第二のキャリッジの両者が前記ディスクを挟持する方向に回動する機構を具備し、
前記第一のキャリッジと前記第二のキャリッジを前記ディスクを挟持する力をひとつの付勢部材で共有化し、
前記付勢部材により前記第二のキャリッジに発生する回動方向のモーメント力が、前記付勢部材により前記第一のキャリッジに発生する回動方向のモーメント力よりも大きくなるように、前記第一のキャリッジの回動支点位置が、前記第二のキャリッジの回動支点位置よりもディスク中心側に配置され、前記第二のキャリッジの回動支点位置と前記第二のキャリッジの付勢部材から受ける力点位置との距離を、前記第一のキャリッジの回動支点位置と前記第一のキャリッジの力点位置との距離よりも長く構成し、
前記ディスクの記録再生位置において、前記第二のキャリッジはストッパに当接することにより回動方向に位置決めされてなることを特徴とするディスク記録再生装置。
【請求項２】
回転駆動装置によって回転され、その回転中心から同芯状に複数の記録トラックを有して、ハードケース内に収納されて、挿抜を可能としたディスクへ情報の記録再生を行う２つのヘッドを具備して、前記ディスク上面へ記録再生を行う第一のヘッドを搭載して弾性部材を介して支持された第一のキャリッジと、前記ディスク下面へ記録再生を行う第二のヘッドを搭載して弾性部材を介して支持された第二のキャリッジを構成したディスク記録再生装置において、
前記ディスクの挿抜位置から記録再生位置への移動時に前記第一のキャリッジと前記第二のキャリッジの両者が前記ディスクを挟持する方向に回動する機構を具備し、
前記第一のキャリッジと前記第二のキャリッジを前記ディスクを挟持する力をひとつの付勢部材で共有化し、
前記付勢部材により前記第二のキャリッジに発生する回動方向のモーメント力は、前記付勢部材により前記第一のキャリッジに発生する回動方向のモーメント力よりも大きく、
前記ディスクの記録再生位置において、前記第二のキャリッジはストッパに当接することにより回動方向に位置決めされてなり、
前記第二のキャリッジの付勢部材から受ける力点位置が、前記第一のキャリッジの力点位置よりもディスク中心側に配置されていることを特徴とするディスク記録再生装置。
【発明の詳細な説明】
【０００１】
【産業上の利用分野】
本発明はディスク記録再生装置の機構構造に関するものであり、より詳しくはヘッドをディスクから離間せしめる機構構造に関する。
【０００２】
【従来の技術】
従来のディスク記録再生装置の代表的な例は特開昭６２−４２１５６の公開公報に示される如きの構造が知られており、より詳しくは図４及び図５示す。
図４は従来のディスク記録再生装置でディスクが装着位置にある場合の要部側面図，図５は従来のディスク記録再生装置でディスクが挿抜位置にある場合の要部側面図であり、ヘッドをディスクから離間せしめる作動関係を図示している。
【０００３】
以下図４から図５にしたがって説明する。
【０００４】
図４に示した情報の記録再生が成されるディスク５０ａはディスクカートリッジ５０に包容されていて、ディスク５０ａの上面へ記録再生を行う上ヘッド５２は上キャリッジ５６に固定されて、上ヘッドロードバネ５４で回動方向７０ａへ付勢されている。また同様にディスク５０ａの下面へ記録再生を行う下ヘッド５３は下キャリッジ５７に固定されて、上ヘッドロードバネ５４よりも強い付勢力で下ヘッドロードバネ５５で回動方向７０ｂへ付勢されて、下キャリッジ５７は回動を停止させるストッパ５９に当接して、ヘッド高さを維持させながら上ヘッド５２と下ヘッド５３はディスク５０ａを挟持して、情報の記録再生がなされていた。
【０００５】
ディスク挿抜位置の状態では、図５に示したように、上キャリッジ５６は上ヘッドロードバネ５４の付勢方向と反対方向へ図示しない移動手段によって、回動方向７１ａに回動して、また下キャリッジ５７も同様に下ヘッドロードバネ５５の付勢方向と反対方向へ図示しない移動手段によって、回動方向７１ｂへ回動して、ディスクカートリッジ５０とヘッドとの隙間を確保するように離間せしめる構造であった。
【０００６】
【発明が解決しようとする課題】
近年普及が目覚ましい携帯型コンピュータは、軽量小形化の必要性からコンピュータ内部に内臓しているディスク記録再生装置などの情報記憶装置をこれまで以上に薄形化、小形化、軽量化することが必要となってきている。前述したように従来の技術では、ディスクを挟持するために必要とする付勢部材が、上下共に必要となり薄型化を実現するためには付勢部材の高さを縮小する必要があった。また上下が同一機構を構成する必要があることからコスト的にも課題があった。
【０００７】
そこで、本発明は上記の様な課題を解決するもので、その目的とするところは、ディスク記録再生装置の軽量小形薄形化を実現して、より安価なディスク記録再生装置を提供することにある。
【０００８】
【課題を解決するための手段】
本発明のディスク記録再生装置は、回転駆動装置によって回転され、その回転中心から同芯状に複数の記録トラックを有して、ハードケース内に収納されて、挿抜を可能としたディスクへ情報の記録再生を行う２つのヘッドを具備して、ディスク上面へ記録再生を行う第一のヘッドを搭載して弾性部材を介して支持された第一のキャリッジと、ディスク下面へ記録再生を行う第二のヘッドを搭載して弾性部材を介して支持された第二のキャリッジを構成したディスク記録再生装置において、ディスクの挿抜位置から記録再生位置への移動時に第一のキャリッジと第二のキャリッジの両者がディスクを挟持する方向に回動する機構を具備し、第一のキャリッジと第二のキャリッジをディスクを挟持する力をひとつの付勢部材で共有化し、前記付勢部材により前記第二のキャリッジに発生する回動方向のモーメント力が、前記付勢部材により前記第一のキャリッジに発生する回動方向のモーメント力よりも大きくなるように、前記第一のキャリッジの回動支点位置が、前記第二のキャリッジの回動支点位置よりもディスク中心側に配置され、前記第二のキャリッジの回動支点位置と前記第二のキャリッジの付勢部材から受ける力点位置との距離を、前記第一のキャリッジの回動支点位置と前記第一のキャリッジの力点位置との距離よりも長く構成し、ディスクの記録再生位置において、第二のキャリッジはストッパに当接することにより回動方向に位置決めされてなることを特徴とする。
【０００９】
また、本発明のディスク記録再生装置は、回転駆動装置によって回転され、その回転中心から同芯状に複数の記録トラックを有して、ハードケース内に収納されて、挿抜を可能としたディスクへ情報の記録再生を行う２つのヘッドを具備して、前記ディスク上面へ記録再生を行う第一のヘッドを搭載して弾性部材を介して支持された第一のキャリッジと、前記ディスク下面へ記録再生を行う第二のヘッドを搭載して弾性部材を介して支持された第二のキャリッジを構成したディスク記録再生装置において、前記ディスクの挿抜位置から記録再生位置への移動時に前記第一のキャリッジと前記第二のキャリッジの両者が前記ディスクを挟持する方向に回動する機構を具備し、前記第一のキャリッジと前記第二のキャリッジを前記ディスクを挟持する力をひとつの付勢部材で共有化し、前記付勢部材により前記第二のキャリッジに発生する回動方向のモーメント力は、前記付勢部材により前記第一のキャリッジに発生する回動方向のモーメント力よりも大きく、前記ディスクの記録再生位置において、前記第二のキャリッジはストッパに当接することにより回動方向に位置決めされてなり、第二のキャリッジの付勢部材から受ける力点位置が、第一のキャリッジの力点位置よりもディスク中心側に配置されていることを特徴とする。
【００１０】
【作用】
本発明の上記の構成によれば、ディスクを挟持するための上キャリッジと下キャリッジの付勢部材を両者の間ひとつだけ設けて共有化して、さらに上キャリッジの回動支点位置を下キャリッジの回動支点位置よりも、ディスク中心側にずらすか、若しくは回動支点位置を同一として下キャリッジの付勢部材からの力点位置を上キャリッジの力点位置よりもディスク中心側へずらすことによって発生させた上下キャリッジの回動モーメント力の差分が、下キャリッジの一端を回動停止部材に当接させて、下ヘッド高さ位置を安定させる。
【００１１】
【実施例】
図１，図２は本発明のディスク記録再生装置の適切な一実施例を示す。
図１は本発明のディスク記録再生装置のディスクカートリッジ装着状態を示した要部側面図で，図２は本発明のディスク記録再生装置のディスクカートリッジ挿抜状態を示した平面要部側面図であり、ヘッドをディスクから離間せしめる作動関係を示している。
また図３は本発明のディスク記録再生装置のその他の実施例としてディスクカートリッジ装着状態を示した要部側面図である。
【００１２】
まず、図１，図２に基づいて説明する。
図１に示した情報の記録再生が成されるディスク２０ａはディスクカートリッジ２０に包容されていて、ディスク２０ａの上面へ記録再生を行う上ヘッド１は上キャリッジ３に接着されて、さらに上キャリッジ３に結合されて、弾性部材である上サスペンション５を介して、キャリッジホルダ８にねじ７で固定されていて、上キャリッジ３の一端がキャリッジホルダ８の当接部８ａに当接している。また同様にディスク２０ａの下面へ記録再生を行う下ヘッド２は下キャリッジ４に接着されて、さらに下キャリッジ４に結合されて、弾性部材である下サスペンション６を介して、キャリッジホルダ８にねじ７で固定されていて、下キャリッジ４の一端がキャリッジホルダ８の当接部８ｂに当接している。
前記上下ヘッドは所定荷重でディスク２０ａを挟持するため、上キャリッジ３と下キャリッジ４の間には付勢手段としてヘッドロードバネ２１を設けて、上キャリッジ３は当接部８ａを回転支点位置として、回動方向１５へモーメント力を発生させて、また下キャリッジ４は当接部８ｂを回転支点位置として回動方向１６へモーメント力を発生させてディスク２０と安定した挟持力を確保している。しかしながらこの場合は挟持した状態において、ヘッドロードバネ２１から得られた上下のモーメント力が釣り合った位置で上下のヘッドの高さが決定されることから、ばらつきなどによってヘッド高さ位置が安定せず、ディスク２０ａとの接触状態に不具合が生じる。そこで上キャリッジ３がキャリッジホルダ８に当接している回動支点位置が、下キャリッジ４がキャリッジホルダ８に当接している回動支点位置よりもディスクの回転中心側に位置するように構成してあり、下キャリッジ４の回動方向１６のモーメント力が、上キャリッジ３の回動方向１５のモーメント力よりも大きくなる。このモーメント力の差分は下キャリッジ４に構成された位置決め部１２がキャリッジホルダ８に配設されたストッパ１１に当接することによって受けて、ヘッドが記録再生位置に静止する。これによって下ヘッド高さを安定することが可能となり、良好な記録再生を実現することができる。
【００１３】
ディスク挿抜位置の状態では、図２に示したように、上キャリッジ３はヘッドロードバネ２１の付勢方向と反対方向へ図示しない機構によって回動方向１３へ上キャリッジ３に配設された押圧部９を押し上げて、また下キャリッジ４も同様にヘッドロードバネ２１の付勢方向と反対方向へ図示しない機構によって、回動方向１４へ下キャリッジ４に配設された押圧部１０を押し下げて、ディスクカートリッジ２０と上下ヘッド１，２との隙間を確保するように両キャリッジが相反方向に回動して図示しない静止機構によって静止する。この状態でディスクカートリッジ２０の挿抜操作が成される。
【００１４】
次に本発明のその他の実施例として図３にしたがって説明していく。
上下のヘッド１，２は前述と同様に上下キャリッジ３，４に固定されていて、同様に上下サスペンション５，６を介してキャリッジホルダ８に固定されている。上下キャリッジの回動支点はキャリッジホルダ８との当接部２２、２３にそれぞれ同様に設けられている。前述の実施例では回動モーメント力の支点位置を上下でずらすことによってモーメント力の差を発生させていたが、この場合は支点位置は上下で同一位置として、ヘッドロードバネ２１の力点位置を上キャリッジ３の力点部２４よりも下キャリッジ４の力点部２５の方をディスク中心側へずらしたことによって回動方向１６のモーメント力が回動方向１５よりも大きく発生する。これによって上下キャリッジは回動方向１６へ回転して、同様にキャリッジホルダ８に配設されたストッパ１１に下キャリッジ位置決め部１２が当接することによってヘッド高さ位置の安定性を確保している。
【００１５】
また図２で述べた実施例の支点位置を上下でずらす方法と図３で述べた実施例の力点位置を上下でずらす方法の２つを同時に構成した場合、回動モーメント力はさらに増大して、より安定したヘッド高さを確保することができる。
【００１６】
【発明の効果】
以上述べた様に本発明によれば、上側のヘッドを搭載した第一のキャリッジと下側のヘッドを搭載した第二のキャリッジをディスクを挟持する力をひとつの付勢部材で共有化して実現したことにより、構造が簡素化され部品費用、組み立て費用の大幅な低減が実現される。また上キャリッジの上部、下キャリッジの下部のスペースを従来よりも必要としないため、ディスク記録再生装置の薄型化を実現することが可能である。
【００１７】
第一のキャリッジの回動支点位置が、第二のキャリッジの回動支点位置よりもディスク中心側に配置されていることによって、回動モーメント力を片側方向に発生させて下ヘッド位置を安定化できる構造であり安定品質も確保することが可能である。
【００１８】
第二のキャリッジの付勢部材から受ける力点位置が、第一のキャリッジの力点位置よりもディスク中心側に配置されていることによって、回動モーメント力を片側方向に発生させて下ヘッド位置を安定化できる構造であり安定品質も確保することが可能である。また回動支点位置が上下で一致していることから、第一、第二キャリッジのヘッドからの距離を短くできて、ディスク記録再生装置の奥行き寸法をより短くすることができる。
【００１９】
第一のキャリッジの回動支点位置が、第二のキャリッジの回動支点位置よりもディスク中心側に配置されていて、さらに第二のキャリッジの付勢部材から受ける力点位置が、第一のキャリッジの力点位置よりもディスク中心側に配置されていることによって、前記方式よりも一段と強い回動モーメント力を発生させることが可能であり、第一のキャリッジと第二のキャリッジの重量が比較的大きい場合若しくは両者の重心位置がより作用点近くに存在した場合などは耐振動特性、耐衝撃性能をより向上させることが可能であること等、低コスト、高品質の両面が実現されて、本発明の実用的効果は極めて大きい。
【図面の簡単な説明】
【図１】本発明のディスク記録再生装置のディスクカートリッジ装着状態を示した要部側面図である。
【図２】本発明のディスク記録再生装置のディスクカートリッジ挿抜状態を示した要部側面図である。
【図３】本発明のディスク記録再生装置の他の実施例を示し、ディスクカートリッジ装着状態を示したディスク要部側面図である。
【図４】従来のディスク記録再生装置のディスクカートリッジ装着状態を示した要部側面図である。
【図５】従来のディスク記録再生装置のディスクカートリッジ挿抜状態を示した要部側面図である。
【符号の説明】
３  上キャリッジ
４  下キャリッジ
２０  ディスクカートリッジ
２０ａディスク
２１  ヘッドロードバネ
【図１】
0003772360.tif 000002
【図２】
0003772360.tif 000003
【図３】
0003772360.tif 000004
【図４】
0003772360.tif 000005
【図５】
0003772360.tif 000006